(57)【特許請求の範囲】
【請求項１】
長方形状の後面部と、前記後面部の上辺位置からの延長上に蓋部を有し、前記後面部下辺からの延長箇所を折り曲げて前面部とし前記前、後面部の左右を接合したポケット部に於いて、前記前面部の上辺の中側を凹湾状にし、前記凹湾状箇所を覆った形状で前記蓋部を凸湾状で設け、前記後面部を左右対称に区分ける中央線上での中点位置ないしはそれより下側で、前記前面部上への雌雄どちらかの留め具の固定を、前記前、後面部の両方を貫通させて行う接合をし、前記留め具に対応する位置に設けた前記蓋部の残りの留め具を、前記前面部への留め具の固定を同時に行うものであり、前記後面部上辺より少し下げた位置に上辺を有する別のポケット部を前記後面部に重ねて左、右端部辺箇所と底辺箇所を本体に接合して設けたことを特徴とする、扁平体ホルダー。
【発明の詳細な説明】
【技術分野】
【０００１】  名刺や名刺大に近いその他の小さなカード類を挿入整理することが可能な、扁平体ホールダ―に関する。
【背景技術】
【０００２】
【先行技術文献】
【特許文献１】  特開２００５−６６２２８
【特許文献２】  特許５５１４９２８
【０００３】
【発明の概要】
【発明が解決しようとする課題】
【０００４】  そのために次のような問題点があった。
・特開２００５−６６２２８について述べると、これはカードを差し込む片と財布に差し込む差し込み片とで成る、カードポケット増設用具である。
・特許５５１４９２８について述べると、これは折り畳み可能な連結したベースシート面に、着脱可能なサブシートが貼付され、そこに袋を固定する標本収納具である。
・従来型ウオールポケットに関する弱点について述べる。
従来の縫製の仕方はポケットを形成する前面部をパーツごとに切断し、パーツごとに後面部に対し縫合するので、ポケット数が多ければその分、煩雑であり労力が必要だった。
従来の各ポケット部は、前面部のパーツを後面部に対して側面部と底面部を縫合して成るもので、必然的にその底面部はほつれ易い性質を持っていた。
必ずしも、カード類を受け取ったその日のうちに、名刺ファイルやその他のカード整理具にしまえるとは限らず、名刺入れや財布は膨らむ一方であった。
名刺等のカード類をファイルに整理するまでの期間に欲しい整理具や一定場所がないため、カード類は名刺入れや財布から溢れて、テーブル上などに散らばりがちだった。
クーポン券やポイントカードや保険証等で、家族共通の小さなカードを目立つところに整理する場所が定まらず、期限内に気づきにくく効果的に活用できにくかった。
小さなカードを対象としない従来の大きなウオールポケットでは、小さなカードを差し込めばポケットの中にもぐりこんで見えにくく出しにくかった。
扁平な小さなカード類用として、区分け出来る物がなくて困っていた。
・従来型名刺入れに関する弱点について述べる。
近くにテーブル等がないような場合、小さな名刺入れと渡したい名刺の二つを一緒に持つしかなく、敬意を表しながら名刺一枚を両手で差し出したり、その状態で相手から両手で受け取ったりがやりにくかった。
名刺入れを握り持てば邪魔なので、脇に小さいまま抱えようとすれば不安定で、開いて持てばぐらついて頼りなく、名刺が中から落ちそうだった。
脇に抱えた後、手元に戻した時、二つの挿入口は中央で向かい合っているため、ここから名刺を取り出そうとする時、向きを変えたり内側を外に折り曲げて前後面部を接触させ、狭い開口範囲から名刺を取り出すことにもなって、煩わしかった。
次の人との名刺交換に移る時、急いで受け取った名刺をしまいたいが、区分けしては入れにくく、自分の名刺と混じりあったりするので、後から整理し直していた。
中が見えにくいため自分の名刺と受け取る名刺の区分けは記憶に頼るしかなくて、区分けの明確さについては欠けた形状で、それらは混じりあって入れられていた。
挿入口が狭いうえに、挿入口は向かい合って接近して設けられているため、互いに名刺の出し入れの邪魔をし合い、また挿入誘導部もないため次の自分の名刺を用意するための広さがなく、出し入れが手早く出来なかった。
従来の名刺入れは一枚分だけの名刺を載せる面積しかなく、受け取った数枚の名刺のうちの一枚だけの台座となっているのが不自然な気がしていた。
名刺入れを握り持ちながら小さな名刺を両手で持つことに違和感があるが、片手では失礼であり、席のない場所での名刺交換がやりにくくて困っていた。
・前記特許類はこれらの解決を行うことはできない。
【発明を解決するための手段】
【０００５】  一定幅の平面状帯状シートのその延長方向に対し、直交方向でつまみ上げた箇所の、あるいは既につまみ上げた形状に形成された場合も、その根元を同方向に折り曲げ、元の平面状箇所とを重ねて両縁を接合して成るポケット部が直列し、前側に現れる挿入口と前側に現れない切れ目のない底面部を有することを特徴とする。
【発明の効果】
【０００６】  イ）前面部と後面部の帯体二枚を用意し、前面部の方だけつまみ上げ折り曲げて、前面部と後面部の左右両縁を縫合するだけで仕上がるため、ポケット数が多くても単純な作り方で出来るので縫製の労力は減った。
ロ）ポケット部底面部が縫い目がない状態で設けられるため、従来の縫合した際にはみ出す縫い代分がなくてカードはそれに引っかかることなくスムーズに入り、また、パーツの縁の始末をする必要もなく、底面箇所が不完全な作りには見えにくくなった。
ハ）薄くて角もあるカードを受け止める底面部に縫い目がないので、底面部がほつれていく心配がなくなった。
二）ポケットに物を挿入する時は、後面部前側を滑らせながら入れるが、その後面部から底面部側に縫い目がないため、紙製のカ―ド側も傷みにくく挿入出来るようになった。
ホ）日々増えていくカード類が、従来の整理用冊子にその都度、整理出来なくても、散らばりにくく紛失しにくくなった。
ヘ）背面部を設けることにより前面部だけでなくその他の箇所も二重になって、薄い生地でも丈夫になり、いろいろな柄も使え、また安価に作れるようにもなった。
ト）受け取ったカード類を財布やバッグから取り出したら、頻繁に使うものの場合、壁面等に取り付けた本発明に差し込んでおいて、必要な時、壁面から抜き取って持ち出せるようになった。
チ）本発明があることで財布は一杯にはなりにくく、財布内が整理しやすくなった。
リ）クーポン券類も含め家族共通の保険証等のカード類の有無が明確にわかる場所が出来、家族の誰にも見つけ易く気づき易くなり、効果的に活用できるようになった。
ヌ）名刺入れは縦、横方向の幅が従来より広くなり、名刺が落ちる心配もなく安定して脇にかかえられるので両手が空き、名刺を両手で持って敬意を表して名刺交換ができるようになった。
ル）名刺入れと名刺の両方を同時に握り持たなくてもよくなった。
オ）挿入口が同方向で、後面部から挿入誘導部や蓋部が繋がり、挿入口付近が広く開いているので、名刺の出し入れの扱いがし易くなった。
ワ）複数のポケット部を有し、また見やすく入れ易いため、中央の区分け部で自他の二種が明確に整理でき、急いでいても、受け取った名刺と自分の名刺を重ねて入れることはなく、受け取った方の名刺を自分用のポケット部に差し込まなくなった。
カ）挿入誘導部と蓋部を有し掌に余る大きさとなり、また裏側に指を挿入できる箇所もある等、安心して名刺入れを片手に載せられるようになったので、名刺を持った残りの手に名刺入れを下側から添えた形で両手を差し出す姿勢がとれるようになった。名刺を片手で持つが失礼な姿とは言えない。
ヨ）バッグの中に入れた時、本体に長さや幅があって見つけやすくなった。
タ）机上にはスタンド状に立ち上げられるので見つけやすくなった。
レ）名刺入れに、二枚以上の名刺を載せる面積が出来た。
ソ）脇にかかえても挿入口は上側に向いたままなので、方向を変えて持ち直さなくて名刺を取り出せるようになった。
【図面の簡単な説明】
【０００７】
【図１】  第一形態の、斜視図である。
【図２】  第一形態の、側面断面図と正面図と、拡大断面図である。
【図３】  第一形態の、斜視図である。
【図４】  第二形態の、正面図又は展開図である。
【図５】  第二形態の、斜視図である。
【図６】  第二形態の、斜視図と平面図である。
【図７】  第一、第二形態の、斜視図と正面図である。
【図８】  第三形態の、正面図と平面図と側面図である。
【図９】  第三形態の、蓋部と留め具やはさみ具の取り付け方を示す図である。
【図１０】  第三形態での正面図である。
【発明を実施するための形態】
【実施例１】
【０００８】  以下、本発明の実施の形態を、対象とするカード類を名刺や診察券レベルの大きさとして説明する。主に前後面部で成り、ポケット部は同方向の同形同大である。描写の都合で断面に斜線を設けない作図の場合がある。
図１〜図３を用いて、ポケット部が一列で直列する第一形態を、帯体を薄めの生地として説明する。帯体延長方向を説明上、縦向きとする。ポケット部内部の横幅はカード類（６）の約９ｃｍ程度の長辺側を横向きに挿入するために必要十分な長さとし、前面部（２）の縦幅は見え易く取り出し易くを考え、長辺の長さの半分強を、あるいは前面部がカード類の面積の半分強を有する。メッシュ生地の場合は挿入された物が見えるので、前面部の長さは取り出し易さだけを考えればよく、９ｃｍに近い長さでも構わない。他箇所へ固定する固定部（４）は、本体上端箇所に設けるが、磁石、紐等の固定具の種類に関わって、その形態や取り付け位置は多様となる。
各段の位置関係については、ポケット部が重ならない、重なるの二種類ある。
ここでは重ならないに限定して説明する。
ポケット部にカード類の長辺側を横向きに挿入した時、カード類の上辺がくる位置はその段より一つ上段側のポケット部最下端位置の底面部（５）ラインより低い位置となる。上端ラインは直線とは限らず、底面部ライン方向が帯体方向に直交する。【０００９】  図１ａは帯体の前面部とする箇所を一定間隔でつまみ上げ二重箇所にし、残った一重の平面状側を後面部（１）とする斜視図である。ｂはつまみ上げた箇所を一方向に折り曲げた斜視図で、挿入口（３）となる箇所が生じ、裏面側には反対向きの擬似的な挿入口（２５）も必然的に生じている。
一定幅の平面状帯状シートの延長方向の縦向きに対し、直交方向でつまみ上げた二重箇所の根元を同方向に折り曲げて、元の平面状帯状シートの一重箇所に重ね三重にし、この三重箇所の両縁を接合して完成させる。
図２ａの枠内は図１ｂの前面部と後面部の両縁を接合して完成した時の、左側面端メンズとそれに対応する正面図で、ポケット部は互いに重なっていない。左側面端面図では、上端側に固定部と中側に繋ぎ目のない、わ状の底面部（５）が現れている。固定部（４）では磁石や芯を入れる時の空洞を示す。帯体の左右の縁より縫い代（８）分内側の左右を、ポケット部の両端部（９）とする。挿入口を示す横ラインから破線で示した底面部の横ラインまでがポケット部（７）である。底面部の横ラインは、前面部側が底面部の下側まで回り込んで覆う形状なので、前側には現れない。
ｂは後面部裏側の凹凸をカバーする、前面部だけではなく他の箇所もまんべんなく二重にして強度を増す、前面部生地の裏側を隠す等の目的で、背面生地（１０）を添える場合の、ａの左側面断面図の一部を使ってこの背面生地の位置を示した、左側面拡大端面図である。布生地では二重状の箇所をそのままで又は貼り合わせたりして設けるが、ここを元々、一重で製造している材料を使うことも可能である。
便宜的に名称とその定義を決める。壁等に吊るして使用するので、前後面部を凹凸の少ない平板状にするために、ポケット部間は前面部から後面部へ緩やかなＳ字状で繋がる。前面部のポケット部の横一状の挿入口から次の段の挿入口寸前までを一単位とする。
ｃは前記ａ、ｂとは異なり、ポケット部を重ねて作成する場合の断面図である。この場合の効果としては、短くても挿入口が多く出来、多くのカードが整理できることが挙げられる。
またａ、ｂの場合も同様ではあるが、例えば中心に四段分、その左右に段の位置をずらして、三段分の独立した当発明の両縁を接合し合って、三列分で背面部を楕円形にしてまとめることも可能である。これは重ねて設けた場合の方が効果的となる。
使い方について説明する。
図２ａの右図のように、カード類（６）を挿入口（３）より差し込む。ここではポケット部（７）の上段側に長辺側を縦向きで、それより下段側に横向きで差し込んでいる。どちらの方向でもカードははみ出し、取り出し易くしている。挿入の仕方は自由だが、通常、持ったカードの下端部を後面部（１）の前側に当てて滑らせるような動きで差し込む。【００１０】  図３ａは、ポケット部が重ならない場合、延長方向に対し直交向きで巻くことが可能なことを示した斜視図である。カード類をまとめてバッグやタンス等に仕舞うという使い方が可能となる。この場合はポケット部箇所の一つの長さを僅かずつして作ってもよい。固定部（４）の形状が紐の図であるが、紐を受け止めるボタンに類するストッパー（１１）を、背面生地（１０）側に設けると固定出来る。
ｂは折り畳む場合の断面図、ｃは巻いたり折り曲げたりした本体（１２）全体をベルトや筒体（１３）に収めた斜視図である。【００１１】  図４〜図７を用いて、ポケット部（７）が一列で並列する第二形態を、帯体を厚めの生地や皮、人工皮革、化学繊維等として説明する。帯体延長方向を説明上、横向きとする。後面部とそれより上端位置が低い前面部は一枚の帯体を帯体方向に平行に曲げて成り、底面部（５）は、わ状を呈する。ポケット部内部の横幅はカード類（６）の約５、５ｃｍ程度の短辺側を横向きに挿入するために必要十分な長さとし、前面部（２）の縦幅は長辺の長さの約９ｃｍの半分強とする。ポケット数は偶数とする。カードを取り出し易くするために前面部の上端位置は挿入したカードの上端位置より低く設けるが、蓋部を設ける場合、蓋部（１５）はその欠損部分をカバーできるものとする。【００１２】  図４〜図６を用いて、主に整理を目的とする場合を説明する。
図４は６個のポケット部が並列した正面図又は展開図で、左右両端箇所は縫い代（８）、又は折り曲げた時に、隣り合わせになる箇所である。隣接するポケット部が共有する区分け部（１４）ラインは、帯体方向に直交する。
図５、図６を用いてリング状や平面体状に成形した場合を説明する。ポケット部（７）を６個で説明するが、４個や２個でも同様である。
図５は前面部（２）を外側にして図４の縫い代（８）で繋ぎ合ってリング状にした斜視図である。左右の縫い代の位置を重ねる時、同方向か反対方向の二種があるが、まず繋いだ場合を説明する。ａは後面部（１）を延長して蓋部（１５）を設けた、ｂはその蓋部を外側に折り曲げた、ｃはａ、ｂとは別の形状で、蓋部を前面部を延長して後面部と同じ高さまで設け、前後面部の境界（１６）に切り込みを入れた斜視図である。繋がず同方向にした場合は、次図の６ｃのような平面体状になる。
図６は前面部を内側に設けた場合の、ａはその斜視図、ｂは平面図で、挿入口（３）が見えにくい内側にあるので、カード類（６）を差し込んだ時、間に落ちる心配がないように、前後面部の下端箇所（１７）を面テープ等で繋いだ場合である。ｃは平面体状とする。
使い方を挙げると、後面部に芯を入れたりして硬めにすれば持ち易くなり、端部の留め具（１８）を外した時、Ｖ状で立つことが出来る。カードを分類して挿入し、リング状にして机上等に置く、鉛筆立て等の何かを囲んで立たせる。下端箇所を繋がなければ、腕を通して使用することも出来る。カード類を挿入すればスタンド状態がよりしっかりしてくる。【００１３】  図７を用いて、二個ポケット型の場合を説明する。主に名刺交換の際に使用する名刺入れとする。本体を対称的に左右に縦向きに区分ける中央線を、以後、中央線（２４）として説明する。作図の都合で中央線を示さない場合もある。
第一、第二形態での挿入誘導部（１９）（カードを後面やその延長箇所の前面側を滑らせて挿入する時に必要となる誘導域で、後面部（１）やその延長箇所における前面部（２）上端位置との差）を主に説明する。後面部の上端位置を底面部位置からの名刺の長辺と同じ長さ位置とする。蓋部の有無は選択とする。
ａは第一形態からのポケット部（７）の最上、最下段位置の二段分で作成した状態の断面斜視図ある。破線箇所は背面生地（１０）に当たり、ここの有無は選択する。この場合の挿入誘導部は上段側の挿入口（３）より僅か下側から下段の挿入口ラインまでである。必要な場合は留め具（１８）を設ける。
ｂは第二形態からの最左、最右端位置のポケット部の二個分で作成した状態で、前面部の上端を湾状にしその中間を低くした。後面部とその延長箇所には挿入誘導部を有する。前面部の左右両端側の高さ位置は、後面部の上端位置とする。ここでは区分け部（１４）を中央線上の中間位置のみに設けたが、下側でも全体でも構わない。
使い方については、形態ａなら上下に、形態ｂなら左右どちらかのポケット部に自分の名刺（６）群を挿入しておき、残り側に受け取る名刺を挿入していく。特に形態ａは上段側に自分の名刺を入れておき、横向きに開いて擬似的な挿入口（２５）に指を差し込み、名刺入れを固定しながら受け取った方を下側に入れていく。【００１４】  図８〜図１０を用いて、蓋部と留め具を有する二個ポケット型の第三形態を説明する。
蓋部（１５）となる凸状の湾状（以下を凸湾状と称する）と、挿入口（３）となる凹状の湾状（以下を凹湾状と称する）の両端部を長い側に有する帯体の、まず、凹湾状側を中間に向けて折り曲げ、重なった箇所の、両端と帯体の中央線上を接合し、次に凸湾状側を凹湾状側に被せその上に折り曲げる。この底面部（５）箇所が、わ状となって形成される作り方を基本とする。使い方は前記に準じ、必要があれば記載する。
図８ａは区分け部（１４）での留め具（１８）の固定を、前後面部（２、１）の両方を貫通させて行う場合で、前記７ｂの挿入誘導部（１９）を延長して蓋部（１５）を設けた場合の正面図である。中央線（２４）上の二重になる箇所に雌雄の留め具の片方を設け、対応する留め具の残りを蓋部内側に設ける。この時、区分け部箇所で留め具の固定を前後面部との接合とを兼ねる。
ｂはその場合の平面断面図である。中央位置で前後面部は接合され、また前面部への留め具の固定をも同時に行うので、後面部の裏面に留め具の一部や、留め具の固定状態の丸点状や直線等の接合跡が現れる。以下に説明する補助具の場合も同様で、接合跡を嫌う場合は、後面部に重ねて銀行通帳大の物が入れられる従来のポケットやベルトを設けて隠してもよい。
従来形状のポケットの取り付け方を説明すると、後面部上辺より少し下げた位置に上辺を有する別のポケット部を前記後面部に重ねて左、右端部辺箇所と底辺箇所を本体に接合して設ける。
これらに手や指先を差し込めば当発明を楽に持つことが出来る。
ｃは蓋部内側に補助具の突状体（２２）を設ける場合で、これは蓋部を前面部の内側に入れて閉じる形態の場合に区分けの機能が生じる。ｄはその側面図である。
図９でその他の補助具を使用して着脱可能となる区分け部の設け方を説明する。
ａの枠内の左図は区分け部を丸いスナップか磁石、長めの凹凸型（２０）か棒磁石か面テープ等を、前後面部の中央線上の内側に設けた正面図である。右図はこれらの補助具の拡大図である。ｂの枠内の左図は区分け部の下側をはさみ具（２１）ではさんだ正面図、右図はその拡大側面図である。ｃは必ずしも前後面部の固着ではなくてもよいため、片面だけに突状体を設ける場合の、中央線箇所の拡大側面断面図である。
内側に着脱可能な補助具、前面部上に磁石のような取り付け方をする場合は、取り付け位置を上下にずらせばよい。【００１５】  図１０で図８ａの特殊な例として、前後面部（２、１）の区分け部（１４）を、後面部を長方形とみなした時、その二つの対角線の交点である中点位置（２３）付近に設ける場合を説明する。片方の留め具（１８）の接合位置を黒丸で、それに対応する蓋部での留め具位置を白丸で示す。留め具の取り付けは前面部から後面部まで貫通して行う。
ａは中央線（２４）上における後面部の縦半分の長さをｘとした場合の、蓋部（１５）を開けた時の正面図で長さの関係を示し、ｂでは蓋部を閉めた時の前面部側、ｃではｂの場合の後面部側の状態を示したものである。ここではファションの意味で前面部上端の凹湾状の中央の一部を上に突き出しその箇所に留め具を固定している。
使い方の特徴を挙げると、前述の図７での使い方に加えて、蓋部を開けた状態の当発明は、左右に上下に広くなっているので、名刺を受取る時、名刺入れを脇にはさんで両手で、又は、本体を片手上に載せこの上に、名刺を掌に置いた残りの手を載せて行う。当発明上には、名刺（６）を３枚載せられる。中央線位置で折り曲げ易い性質もあり、折り曲げれば小さなズボンのポケットにしまうことが出来る。【００１６】  名刺大で説明してきたが、クレジット、保険証、ポイントカード類や電車用カード類も含み、またそれ以上の大きさの扁平な物も当発明の対象である。
区分け部の設け方として、上側のみを接合すれば細い物を奥に差し込んだ場合のストッパーになる。また留め具を設けない蓋部の固定の方法で、蓋部を図８ｃでの突状体を設けない、前面部の内側に差し込んで留める場合の区分け部は、中央線上の下側のみに設ける。
蓋部の設け方について付け加えると、前面部表側の左右向きにベルトを設けて、その内側に蓋部の狭くした先端を差し込んで閉じる。蓋部を長くして前面部に覆いかぶせる。その他に自然に蓋が閉まる方法として、独自であるいは前記に加えて、裏地を表側より幅をやや狭くして設けたり、蓋部の下端に折り癖をつける方法等もある。
本体の左右両端に取って部を設け、腕に通せば両手が使えるようになる。
より取り出し易くするためには、前後面部の左右端の接合を底面部手前で止めて底面部側に余裕を設け、カードを指で底面部側から押し出すか、底面部に穴をあけて直接、指で押す方法も可能である。底面部箇所の方に高低差をつけて挿入したカード群に高低をつけて収納してもよい。
【符号の説明】
【００１７】１    後面部            ２    前面部            ３    挿入口
４    固定部            ５    底面部            ６    カード類または名刺
７    ポケット部        ８    縫い代            ９    両端部
１０  背面生地          １１  ストッパー        １２  本体
１３  ベルトや筒体      １４  区分け部          １５  蓋部
１６  境界              １７  下端箇所          １８  留め具
１９  挿入誘導部        ２０  凹凸型            ２１  はさみ具
２２  突状体            ２３  中点位置          ２４  中央線
２５  擬似的な挿入口    ｘ    後面部縦半分の長さ
【図１】
0006516186.tif 000002
【図２】
0006516186.tif 000003
【図３】
0006516186.tif 000004
【図４】
0006516186.tif 000005
【図５】
0006516186.tif 000006
【図６】
0006516186.tif 000007
【図７】
0006516186.tif 000008
【図８】
0006516186.tif 000009
【図９】
0006516186.tif 000010
【図１０】
0006516186.tif 000011